【事件の表示】
　特願２０１９−５２４７８５「端末、無線基地局及び無線通信方法」拒絶査定不服審判事件〔平成３０年１２月２７日国際公開、ＷＯ２０１８／２３５２０８、請求項の数（６）〕について、次のとおり審決する。
【結　論】
　原査定を取り消す。
　本願の発明は、特許すべきものとする。
【理　由】
第１　手続の経緯
　本願は、２０１７年（平成２９年）６月２１日を国際出願日とする出願であって、その手続の経緯は以下のとおりである。
　令和２年　３月２７日　　　手続補正書の提出
　令和２年　５月１３日付け　拒絶理由通知書
　令和２年　７月３１日　　　意見書、手続補正書の提出
　令和２年　９月１６日付け　拒絶査定
　令和２年１２月２１日　　　拒絶査定不服審判の請求、手続補正書の提出
　令和３年　３月２４日　　　上申書の提出
第２　原査定の概要
　原査定（令和２年９月１６日付け拒絶査定）の概要は次のとおりである。
１．（新規性）この出願の下記の請求項に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
２．（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
記
●理由１及び理由２
・請求項　１、５−６
・引用文献等　２
●理由２
・請求項　１、３−６
・引用文献等　１
・請求項　２
・引用文献等　１−３
引用例１：NTT DOCOMO, INC.，Discussion on remaining details on multiple SS block transmissions in wideband CC for NR[online]，3GPP TSG RAN WG1 NR Ad-Hoc#2 R1-1711059，InternetURL:https://www.3gpp.org/ftp/tsg_ran/WG1_RL1/TSGR1_AH/NR_AH_1706/Docs/R1-1711059.zip, ２０１７年６月１７日アップロード
引用例２：LG Electronics，Discussion on DL beam management[online]，3GPP TSG RAN WG1 Meeting #89 R1-1707604，InternetURL:https://www.3gpp.org/ftp/tsg_ran/WG1_RL1/TSGR1_89/Docs/R1-1707604.zip，２０１７年５月６日アップロード
引用例３：MediaTek,[Intel],[Samsung],[ATT],[Nokia],[NTT DoCoMo]，WF On RRM measurement[online]，3GPP TSG RAN WG1 Meeting #89 R1-1709810，InternetURL:https://www.3gpp.org/ftp/tsg_ran/WG1_RL1/TSGR1_89/Docs/R1-1709810.zip，２０１７年５月１９日アップロード
第３　本願発明について
　本願の請求項１ないし６に係る発明（以下、それぞれ「本願発明１」ないし「本願発明６」という。）は、令和２年１２月２１日の手続補正により補正された特許請求の範囲の請求項１ないし６に記載された事項により特定される発明であり、本願発明１ないし６は以下のとおりの発明である。
「　　【請求項１】
　メジャメント期間における測定用の同期信号（ＳＳ）ブロックを示す情報を受信する受信部と、
　前記情報によって示される前記ＳＳブロックを用いて、ＲＳＲＰ（Reference　Signal　Received　Power）、ＲＳＲＱ（Reference　Signal　Received　Quality）、及び、ＳＩＮＲ（Signal　to　Interference　plus　Noise　Ratio）の少なくとも一つを測定する制御部と、
を具備し、
　前記情報は、一以上のセルで送信される前記ＳＳブロックをリストによって示すことを特徴とする端末。
　　【請求項２】
　周期が異なる複数のメジャメント期間が設定される場合、前記情報は、前記複数のメジャメント期間の少なくとも一つに関連付けられることを特徴とする請求項１に記載の端末。
　　【請求項３】
　前記受信部は、上位レイヤシグナリングを用いて、前記情報を受信することを特徴とする請求項１または請求項２に記載の端末。
　　【請求項４】
　前記ＳＳブロックは、第１の周波数帯域又は前記第１の周波数帯域よりも高い第２の周波数帯域で送信されることを特徴とする請求項１から請求項３のいずれかに記載の端末。
　　【請求項５】
　メジャメント期間における測定用の同期信号（ＳＳ）ブロックを示す情報を送信する送信部と、
　前記情報によって示される前記ＳＳブロックを用いて測定される、ＲＳＲＰ（Reference　Signal　Received　Power）、ＲＳＲＱ（Reference　Signal　Received　Quality）、
及び、ＳＩＮＲ（Signal　to　Interference　plus　Noise　Ratio）の少なくとも一つの受信を制御する制御部と、
を具備し、
　前記情報は、一以上のセルで送信される前記ＳＳブロックをリストによって示すことを特徴とする無線基地局。
　　【請求項６】
　端末において、
　メジャメント期間における測定用の同期信号（ＳＳ）ブロックを示す情報を受信する工程と、
　前記情報によって示される前記ＳＳブロックを用いて、ＲＳＲＰ（Reference　Signal　Received　Power）、ＲＳＲＱ（Reference　Signal　Received　Quality）、及び、ＳＩＮＲ（Signal　to　Interference　plus　Noise　Ratio）の少なくとも一つを測定する工程と、
を有し、
　前記情報は、一以上のセルで送信される前記ＳＳブロックをリストによって示すことを特徴とする無線通信方法。」
第４　引用発明等について
１．引用例１
　原査定の拒絶の理由に引用されたNTT DOCOMO, INC.，Discussion on remaining details on multiple SS block transmissions in wideband CC for NR（当審訳：ＮＲのための広帯域ＣＣにおける複数のＳＳブロック送信に関する残りの詳細に関する考察）[online]，3GPP TSG RAN WG1 NR Ad-Hoc#2 R1-1711059，InternetURL:https://www.3gpp.org/ftp/tsg_ran/WG1_RL1/TSGR1_AH/NR_AH_1706/Docs/R1-1711059.zip, ２０１７年６月１７日アップロード（以下、「引用例１」という。）には、図面とともに次の記載がある。（下線は当審が付与。）
「2.4 Number of SS blocks for RRM measurement
For UE#1 and UE#4 in scenario (b) in Figure 2-1, 
it is possible to monitor multiple SS blocks within a wideband CC for RRM measurement since it was agreed that UE can be informed of the presence/parameters of the SS block(s) and parameters necessary for RRM measurement.
（略）
・If RSRQ or SINR is supported as measurement quantity, RSRQ or SINR on different frequency locations may include different interference level according to traffic amount in each narrower bandwidth CC. In such case, 
UE may be configured to perform RSRQ or SINR measurement on multiple SS block locations.
（略）
・UE can also be configured with RRM measurement on other SS block location(s) within wideband CC as something similar to inter-frequency measurement.
2.5 How to inform the presence/parameters of the SS block(s)
(略)
As argued in [2], using RMSI can be considered to enable RRM measurement on multiple SS block locations as early as possible, while 
using
 RRC signalling can also be considered as candidate mechanism to inform the presence/parameters of the SS blocks.
（当審訳：２．４　ＲＲＭ測定用のＳＳブロック数
図２−１のシナリオ（ｂ）のＵＥ＃１およびＵＥ＃４の場合、
ＵＥは、ＳＳブロックのプレゼンス/パラメータとＲＲＭ測定に必要なパラメータを通知されることができることに合意されたので、ＲＲＭ測定用の広帯域ＣＣ内の複数のＳＳブロックを監視することが可能である。
（略）
・ＲＳＲＱ又はＳＩＮＲが測定量としてサポートされている場合、異なる周波数位置上のRSRQまたはSINRは、各狭い帯域幅CCにおけるトラフィック量に従って異なる干渉レベルを含み得る。そのような場合、
ＵＥは、複数のＳＳブロック位置でＲＳＲＱ又はＳＩＮＲ測定を実行するように構成されてもよい。
（略）
・ＵＥはまた、周波数間測定と同様のものとして、広帯域ＣＣ内の他のＳＳブロック位置でＲＲＭ測定を用いて構成することもできる。
２．５　ＳＳブロックのプレゼンス／パラメータを通知する方法
（略）
[2]で主張されているように、ＲＭＳＩを使用すると、できるだけ早く複数のＳＳブロック位置でＲＲＭ測定を可能にすると考えることができる。また、他のＳＩまたは
ＲＲＣシグナリングを使用すると、ＳＳブロックのプレゼンス／パラメータを通知するための候補メカニズムと見なすこともできる。
　上記記載及び当業者における技術常識からみて、引用例１には以下の技術的事項が記載されている。
（１）上記記載の「２．５」に「ＲＲＣシグナリングを使用すると、ＳＳブロックのプレゼンス／パラメータを通知するための候補メカニズムと見なすこともできる。」と記載され、及び、上記記載の「２．４」に「ＵＥは、ＳＳブロックのプレゼンス/パラメータとＲＲＭ測定に必要なパラメータを通知される」と記載されていることから、ＳＳブロックのプレゼンス／パラメータが通知されるのはＵＥであり、ＵＥはＲＲＣシグナリングを使用しＳＳブロックのプレゼンスが通知されるといえる。
（２）上記記載の「２．４」に「ＵＥは、ＳＳブロックのプレゼンス/パラメータとＲＲＭ測定に必要なパラメータを通知されることができることに合意されたので、ＲＲＭ測定用の広帯域ＣＣ内の複数のＳＳブロックを監視することが可能である。」と記載されていることから、ＵＥはＳＳブロックのプレゼンスを利用して、ＳＳブロックを監視するといえる。
　また、上記記載の「２．４」に「ＵＥは、複数のＳＳブロック位置でＲＳＲＱ又はＳＩＮＲ測定を実行するように構成されてもよい。」と記載されていることから、ＵＥはＳＳブロックでＲＳＲＱ又はＳＩＮＲ測定を実行するといえる。
　よって、ＵＥはＳＳブロックのプレゼンスを利用して、ＳＳブロックでＲＳＲＱ又はＳＩＮＲ測定を実行するといえる。
　以上を総合すると、引用例１には、次の発明（以下、「引用発明１」という。）が記載されていると認められる。
「　ＲＲＣシグナリングを使用しＳＳブロックのプレゼンスが通知され、
　ＳＳブロックのプレゼンスを利用して、ＳＳブロックでＲＳＲＱ又はＳＩＮＲ測定を実行する、
ＵＥ。」
２．引用例２
　原査定の拒絶の理由に引用されたLG Electronics，Discussion on DL beam management（当審訳：ＤＬビーム管理に関する議論）[online]，3GPP TSG RAN WG1 Meeting #89 R1-1707604，InternetURL:https://www.3gpp.org/ftp/tsg_ran/WG1_RL1/TSGR1_89/Docs/R1-1707604.zip，２０１７年５月６日アップロード（以下、「引用例２」という。）には、図面とともに次の記載がある。（下線は当審が付与。）
「2.Discussion on DL beam management details
（略）
Figure 1: An example of whole DL beam management procedure.
As shown in Figure 1, DL beam management procedure can be two stages. TRP(s) and UE are able to have a coarse beam (e.g. a group of beams) alignment utilizing SS burst, and then the best TRP Tx beam(s) and UE Rx beam(s) can be found by using CSI-RS type B for beam management. In that case, a CSI-RS resource for beam management could be mapped to the coarse beam (i.e., the group of beams) so that finer Tx beam(s) selection and reporting could be done by antenna port selection within the CSI-RS resource. More details can be found in our companion contribution [1].
Proposed #2: Beam reporting should include CRI and port index within the selected CRI.
For the hierarchical beam management as shown in Figure 1, L1/L2 reporting of 
SS block measurement
neighbor cell ID list and/or its SS block subset restriction to be configured to UE for beam measurement may be needed.
（３ページ３行ないし４ページ７行）
（当審訳：２．ＤＬビーム管理の詳細についての考察
（図略）
図１：ＤＬビーム管理手順全体の例
図１に示すように、ＤＬビーム管理手順は２段階にできる。ＴＲＰ（ｓ）とＵＥは、ＳＳバーストを利用して粗いビーム（ビームのグループなど）合わせを行うことができ、そして、ビーム管理のためにＣＳＩ−ＲＳタイプＢを使用することによって、最良のＴＲＰ　ＴＸビームおよびＵＥ　ＲＸビームを見出すことができる。その場合、ビーム管理のためＣＳＩ−ＲＳリソースを粗いビーム（つまり、ビームのグループ）にマッピングして、ＣＳＩ−ＲＳリソースのアンテナポート選択によってより細かいＴｘビームの選択とレポートを行うことができる。詳細については、参考文献[1]に見ることができる。
提案＃2：ビームレポートには、選択されたＣＲＩ内のＣＲＩとポートインデックスを含める必要がある。
図1に示すような階層ビーム管理では、
ＳＳブロック測定
ビーム測定のためにＵＥに構成されたネイバーセルＩＤリストおよび／またはそのＳＳブロックサブセット制限が必要になる。
　上記記載及び当業者における技術常識からみて、引用例２には以下の技術的事項が記載されている。
ａ．上記記載に「ＳＳブロック測定」と記載されており、ＳＳブロックはダウンリンクの信号であるから、ＵＥがＳＳブロックの測定を行うことは明らかである。よって、ＵＥはＳＳブロックを測定することが記載されているといえる。
ｂ．上記記載に「ビーム測定のためにＵＥに構成されたネイバーセルＩＤリストおよび／またはそのＳＳブロックサブセット制限が必要になる。」と記載されていることから、ＵＥは測定のためにネイバーセルＩＤリストが必要であるといえる。
　以上を総合すると、引用例２には、次の発明（以下、「引用発明２」という。）が記載されていると認められる。
「ＳＳブロックを測定し、測定のためにネイバーセルＩＤリストが必要である、ＵＥ。」
３．引用例３
　原査定の拒絶の理由に引用されたMediaTek,[Intel],[Samsung],[ATT],[Nokia],[NTT DoCoMo]，WF On RRM measurement[online]，3GPP TSG RAN WG1 Meeting #89 R1-1709810，InternetURL:https://www.3gpp.org/ftp/tsg_ran/WG1_RL1/TSGR1_89/Docs/R1-1709810.zip，２０１７年　５月１９日アップロード（以下、「引用例３」という。）には、図面とともに次の記載がある。（下線は当審が付与。）
「−Option 1.
 a single SS burst set periodicity and a single information regarding measurement timing/duration are indicated per frequency layer.
（当審訳：−オプション1．
単一のＳＳバーストセット周期性と測定タイミング／測定期間に関する単一の情報が周波数層ごとに表示される。
　上記記載によれば、引用例３には、次の技術的事項が記載されていると認められる。
「単一のＳＳバーストセット周期性と測定タイミング／測定期間に関する単一の情報が周波数層ごとに表示される。」
第５　対比・判断
１．本願発明１について
（１）引用発明２との対比
　本願発明１と引用発明２とを対比すると、次のことがいえる。
ａ．引用発明２の「ＵＥ」は、本願発明１の「端末」に相当する。
ｂ．引用発明２の「ＳＳブロック」に同期信号が含まれることは技術常識であり、引用発明２の「ＳＳブロック」は、本願発明の「同期信号（ＳＳ）ブロック」に相当する。また、引用発明２のＵＥが測定するための制御部を有するは自明である。
　よって、本願発明１の「前記情報によって示される前記ＳＳブロックを用いて、ＲＳＲＰ（Reference　Signal　Received　Power）、ＲＳＲＱ（Reference　Signal　Received　Quality）、及び、ＳＩＮＲ（Signal　to　Interference　plus　Noise　Ratio）の少なくとも一つを測定する制御部と、を具備」と、引用発明２の「ＳＳブロックを測定」とは、「ＳＳブロックを用いて測定する制御部を具備」するの点で共通する。
　以上のことから、本願発明１と引用発明２との一致点及び相違点は、次のとおりである。
（一致点）
「ＳＳブロックを用いて測定する制御部を具備するＵＥ。」
（相違点）
１．本願発明１では、「メジャメント期間における測定用の同期信号（ＳＳ）ブロックを示す情報を受信する受信部」を具備し、受信部で受信する「前記情報は、一以上のセルで送信される前記ＳＳブロックをリストによって示す」のに対し、引用発明２ではＵＥに測定のためにネイバーセルＩＤリストが必要であるが、当該発明特定事項が特定されていない点。
２．測定について、本願発明１では、「ＲＳＲＰ（Reference　Signal　Received　Power）、ＲＳＲＱ（Reference　Signal　Received　Quality）、及び、ＳＩＮＲ（Signal　to　Interference　plus　Noise　Ratio）の少なくとも一つ」を測定するのに対し、引用発明２では測定を行っているが、当該発明特定事項が特定されていない点。
（２）引用発明１との対比
　本願発明１と引用発明１とを対比すると、次のことがいえる。
ａ．引用発明１の「ＵＥ」は、本願発明１の「端末」に相当する。
ｂ．引用発明１の「ＳＳブロック」に同期信号が含まれることは技術常識であり、引用発明１の「ＳＳブロック」でＲＳＲＱ又はＳＩＮＲ測定を実行することから、引用発明１の「ＳＳブロック」は、本願発明の「測定用の同期信号（ＳＳ）ブロック」に相当する。また、引用発明１では、ＳＳブロックでＲＳＲＱ又はＳＩＮＲ測定することから、ＳＳブロックは測定期間に含まれるといえる。よって、引用発明１の「ＳＳブロック」は、本願発明の「メジャメント期間における測定用の同期信号（ＳＳ）ブロック」に相当する。
　そして、引用発明１の「ＳＳブロックのプレゼンス」は「メジャメント期間における測定用の同期信号（ＳＳ）ブロックに関する情報」といえることから、本願発明１の「メジャメント期間における測定用の同期信号（ＳＳ）ブロックを示す情報」と、引用発明１の「ＳＳブロックのプレゼンス」とは、「メジャメント期間における測定用同期信号（ＳＳ）ブロックに関する情報」の点で共通する。
　更に、引用発明１のＵＥでは「ＲＲＣシグナリングを使用しＳＳブロックのプレゼンスが通知され」ることから、引用発明１のＵＥは受信部を具備し、受信部でＳＳブロックのプレゼンスを受信するといえる。
　よって、本願発明１の「メジャメント期間における測定用の同期信号（ＳＳ）ブロックを示す情報を受信する受信部」と、引用発明１の「ＳＳブロックのプレゼンスが通知され」ることとは、「メジャメント期間における測定用の同期信号（ＳＳ）ブロックに関する情報を受信する受信部」である点で共通する。
ｃ．引用発明１では「ＳＳブロックのプレゼンスを利用して、ＳＳブロックでＲＳＲＱ又はＳＩＮＲ測定を実行」していることから、ＳＳブロックのプレゼンスによって示されるＳＳブロックを用いて、ＲＳＲＱ又はＳＩＮＲ測定することは明らかである。そして，当該測定のための制御部をＵＥが具備することは明らかである。
　また、引用発明１の「ＳＳブロックのプレゼンス」とは、上記「ｂ」で説示したとおり、「メジャメント期間における測定用の同期信号（ＳＳ）ブロックに関する情報といえることから、本願発明１と同様に、受信部で受信する「前記情報」といえる。
　よって、引用発明１の「ＳＳブロックのプレゼンスを利用して、ＳＳブロックでＲＳＲＱ又はＳＩＮＲ測定を実行」することは、本願発明１の「前記情報によって示される前記ＳＳブロックを用いて、ＲＳＲＰ（Reference　Signal　Received　Power）、ＲＳＲＱ（Reference　Signal　Received　Quality）、及び、ＳＩＮＲ（Signal　to　Interference　plus　Noise　Ratio）の少なくとも一つを測定する制御部」に含まれる。
　以上のことから、本願発明１と引用発明１との一致点及び相違点は、次のとおりである。
（一致点）
「　メジャメント期間における測定用の同期信号（ＳＳ）ブロックに関する情報を受信する受信部と、
　前記情報によって示される前記ＳＳブロックを用いて、ＲＳＲＰ（Reference　Signal　Received　Power）、ＲＳＲＱ（Reference　Signal　Received　Quality）、及び、ＳＩＮＲ（Signal　to　Interference　plus　Noise　Ratio）の少なくとも一つを測定する制御部と、
を具備する
ＵＥ。」
（相違点）
　メジャメント期間における測定用の同期信号（ＳＳ）ブロックに関する情報に関して、本願発明１では、「メジャメント期間における測定用の同期信号（ＳＳ）ブロックを示す情報」であり、受信部で受信する「前記情報は、一以上のセルで送信される前記ＳＳブロックをリストによって示す」のに対し、引用発明１ではＳＳブロックのプレゼンスであるが、当該発明特定事項が特定されていない点。
（３）相違点についての判断
　上記（１）の（相違点１）及び上記（２）の（相違点）に関する本願発明１の発明特定事項の一部である、受信部で受信する「メジャメント期間における測定用の同期信号（ＳＳ）ブロックを示す情報」が「一以上のセルで送信される前記ＳＳブロックをリストによって示す」点について、以下検討する。
　「メジャメント期間における測定用の同期信号（ＳＳ）ブロックを示す情報」が「一以上のセルで送信される前記ＳＳブロックをリストによって示す」点は引用例１ないし引用例３に記載されておらず、公知技術でも周知技術でもない。
　したがって、上記（１）の（相違点１）及び上記（２）の（相違点）に関する他の部分について、及び、上記（１）の（相違点２）について判断するまでもなく、本願発明１は、引用発明２ではなく、また、当業者であっても引用発明１又は引用発明２に基づいて容易に発明をすることができたものであるとはいえない。
２．本願発明５及び６について
　本願発明５及び６は、少なくとも本願発明１の「メジャメント期間における測定用の同期信号（ＳＳ）ブロックを示す情報」が「一以上のセルで送信される前記ＳＳブロックをリストによって示す」という発明特定事項を備えるものであるから、本願発明１と同じ理由により、引用発明２ではなく、また、当業者であっても、引用発明１又は引用発明２に基づいて容易に発明をすることができたものとはいえない。
３．本願発明２について
　本願発明２は、少なくとも本願発明１の「メジャメント期間における測定用の同期信号（ＳＳ）ブロックを示す情報」が「一以上のセルで送信される前記ＳＳブロックをリストによって示す」という発明特定事項を備えるものであるから、本願発明１と同じ理由により、当業者であっても、引用発明１及び引用例２、３に記載された事項に基づいて容易に発明をすることができたものとはいえない。
４．本願発明３及び４について
　本願発明３及び４は、少なくとも本願発明１の「メジャメント期間における測定用の同期信号（ＳＳ）ブロックを示す情報」が「一以上のセルで送信される前記ＳＳブロックをリストによって示す」という発明特定事項を備えるものであるから、本願発明１と同じ理由により、当業者であっても、引用発明１に基づいて容易に発明をすることができたものとはいえない。
第６　原査定についての判断
　令和２年１２月２１日の手続補正により補正された本願発明１ないし６は、少なくとも「メジャメント期間における測定用の同期信号（ＳＳ）ブロックを示す情報」が「一以上のセルで送信される前記ＳＳブロックをリストによって示す」という発明特定事項を備えるものであるから、上記「第５」のとおり、本願発明１、５及び６は引用発明２ではなく、また、当業者であっても引用発明２に基づいて、容易に発明できたものとはいえない。さらに、本願発明１、３ないし６は引用発明１に基づいて、また本願発明２は引用発明１及び引用例２、３に記載された事項に基づいて、容易に発明をすることができたものとはいえない。
　したがって、原査定を維持することはできない。
第７　むすび
　以上のとおり、原査定の理由によっては、本願を拒絶することはできない。
　また、他に本願を拒絶すべき理由を発見しない。
　よって、結論のとおり審決する。